(57)【要約】【課題】走行経路上のユーザの状態を直感的に把握することができること。【解決手段】走行履歴情報取得部５１は、運動対象の生体情報を取得する。走行経路特定部５２は、移動履歴から移動経路となる走行経路を特定する。運動強度算出部５３は、走行履歴情報取得部５１により取得された生体情報から運動状態を程度で示した運動強度を算出する。運動強度指標選択部５４は、運動強度指標情報記憶部７２に運動強度指標テーブルに基づいて、運動強度算出部５３により算出した運動強度の程度毎に指標を選択する。走行マップ作成部５５は、走行経路特定部５２により特定された走行経路と、運動強度指標選択部５４により選択された指標とを対応付けた走行マップを作成する。【選択図】図２
2015078919.tif 000002
【特許請求の範囲】
【請求項１】
運動対象の生体情報を取得する取得手段と、
前記運動対象の移動経路を特定する特定手段と、
前記取得手段により取得された前記生体情報から運動状態を程度で示した運動強度を算出する算出手段と、
前記算出手段により算出した前記運動強度の程度毎に指標を作成する第１の作成手段と、
前記特定手段により特定された前記移動経路と、前記第１の作成手段により作成された前記指標とを対応付けたマップを作成する第２の作成手段と、
を備えることを特徴とする情報処理装置。
【請求項２】
前記第１の作成手段は、前記運動対象を模したアバターを前記指標として作成し、
前記第２の作成手段は、前記アバターを当該アバターに対応する運動強度で移動した地点又は区間を示す位置に配置したマップを作成する
ことを特徴とする請求項１に記載の情報処理装置。
【請求項３】
前記第１の作成手段は、前記運動強度の程度毎に色分けした指標を作成する、
前記第２の作成手段は、前記マップ上に前記特定手段によって特定された移動経路を前記色分けに基づいて作成する
ことを特徴とする請求項１又は２に記載の情報処理装置。
【請求項４】
前記取得手段は、前記運動対象の心拍数を前記生体情報として取得し、
前記算出手段は、前記心拍数に基づいて、運動強度を算出する、
ことを特徴とする請求項１乃至３のいずれか１項に記載の情報処理装置。
【請求項５】
運動対象の生体情報を取得する取得ステップと、
前記運動対象の移動経路を特定する特定ステップと、
前記取得ステップにより取得された前記生体情報から運動状態を程度で示した運動強度を算出する算出ステップと、
前記算出ステップにより算出した前記運動強度の程度毎に指標を作成する第１の作成ステップと、
前記特定ステップにより特定された前記移動経路と、前記第１の作成ステップにより作成された前記指標とを対応付けたマップを作成する第２の作成ステップと、
を含むことを特徴とする情報処理方法。
【請求項６】
コンピュータを、
運動対象の生体情報を取得する取得手段、
前記運動対象の移動経路を特定する特定手段、
前記取得手段により取得された前記生体情報から運動状態を程度で示した運動強度を算出する算出手段、
前記算出手段により算出した前記運動強度の程度毎に指標を作成する第１の作成手段、
前記特定手段により特定された前記移動経路と、前記第１の作成手段により作成された前記指標とを対応付けたマップを作成する第２の作成手段、
として機能させることを特徴とするプログラム。
【発明の詳細な説明】
【技術分野】
【０００１】
本発明は、情報処理装置、情報処理方法及びプログラムに関する。
【背景技術】
【０００２】
従来より、ランニング等の走行履歴に基づいて、走行経路を地図上に表示するものが知られている。また、特許文献１に記載の技術では、地図上に展開した走行経路上に走行時のユーザの状態を走行履歴と共に計測された計測値を表示する技術が開示されている。
【先行技術文献】
【特許文献】
【０００３】
【特許文献１】特開２００５−１９５４２５号公報
【発明の概要】
【発明が解決しようとする課題】
【０００４】
しかしながら、上述した特許文献１に記載の技術では、走行経路上にユーザの状態としてその時に計測された計測値を表示するために、当該表示からは、ユーザの状態を直感的に把握することができない。
【０００５】
本発明は、このような状況に鑑みてなされたものであり、走行経路上のユーザの状態を直感的に把握することができる情報処理装置、情報処理方法及びプログラムを提供することを目的とする。
【課題を解決するための手段】
【０００６】
上記目的を達成するため、本発明の一態様の情報処理装置は、
運動対象の生体情報を取得する取得手段と、
前記運動対象の移動経路を特定する特定手段と、
前記取得手段により取得された前記生体情報から運動状態を程度で示した運動強度を算出する算出手段と、
前記算出手段により算出した前記運動強度の程度毎に指標を作成する第１の作成手段と、
前記特定手段により特定された前記移動経路と、前記第１の作成手段により作成された前記指標とを対応付けたマップを作成する第２の作成手段と、
を備えることを特徴とする。
【発明の効果】
【０００７】
本発明によれば、走行経路上のユーザの状態を直感的に把握することができる。
【図面の簡単な説明】
【０００８】
【図１】本発明の一実施形態に係る情報処理装置のハードウェアの構成を示すブロック図である。
【図２】図１の情報処理装置の機能的構成のうち、走行履歴表示処理を実行するための機能的構成を示す機能ブロック図である。
【図３】運動強度指標情報記憶部に記憶される運動強度指標テーブルの例を示す図である。
【図４】走行マップ記憶部に記憶される走行マップの例を示す図である。
【図５】走行マップ記憶部に記憶される走行マップの他の例を示す図である。
【図６】図２の機能的構成を有する図１の情報処理装置が実行する走行履歴表示処理の流れを説明するフローチャートである。
【発明を実施するための形態】
【０００９】
以下、本発明の実施形態について、図面を用いて説明する。
【００１０】
図１は、本発明の一実施形態に係る情報処理装置１のハードウェアの構成を示すブロック図である。
情報処理装置１は、例えばスマートウォッチ等のリスト端末として構成される。
【００１１】
情報処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、ＧＰＳ部１６と、センサ部１７と、入力部１８と、出力部１９と、記憶部２０と、通信部２１と、ドライブ２２と、を備えている。
【００１２】
ＣＰＵ１１は、ＲＯＭ１２に記録されているプログラム、又は、記憶部２０からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、ＧＰＳ部１６、センサ部１７、入力部１８、出力部１９、記憶部２０、通信部２１及びドライブ２２が接続されている。
【００１５】
ＧＰＳ部１６は、アンテナを含み複数のＧＰＳ（Ｇｌｏｂａｌ  Ｐｏｓｉｔｉｏｎｉｎｇ  Ｓｙｓｔｅｍ）用衛星からのＧＰＳ信号を受信して、リスト端末１の位置情報を取得する。
センサ部１７は、ＸＹＺ軸方向のリスト端末１の移動やリスト端末１の振動を測定可能に構成される。
【００１６】
入力部１８は、各種釦等で構成され、ユーザの指示操作に応じて各種情報を入力する。
出力部１９は、ディスプレイやスピーカ等で構成され、画像や音声を出力する。
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、インターネットを含むネットワークを介して他の装置（図示せず）との間で行う通信を制御する。
【００１７】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００１８】
このように構成される情報処理装置１においては、走行履歴情報として走行時の位置変化を示す情報（以下、「位置履歴情報」という。）に基づいて、走行経路を特定し、他の走行履歴情報として走行時のランナーの生体変化を示す情報（以下、「生体履歴情報」という。）に基づいて、走行時のランナーの状態の程度（以下、「運動強度」という。）を算出する。そして、情報処理装置１においては、特定した走行経路と、算出した運動強度に基づいて、地図上に走行の履歴を示す情報（以下、「走行マップ」という。）を表示するように構成される。走行マップには、走行経路に運動強度の程度を模式的に示した指標（以下、「運動強度指標」という。）が表示される。「運動強度指標」とは、運動強度指標は、生体情報から算出したランナーの疲労感、高揚感、好不調等の運動強度の程度を、対応するアバターや走行経路の表示形態の［指標］で表示したものである。
【００１９】
このように情報処理装置１において、走行マップを表示することで、ユーザは走行経路と、経路上でのランナーの状態を一目で把握することができるようになる。
本実施形態の情報処理装置１においては、走行履歴情報を取得し、走行マップを作成・表示することができる機能を有する。
【００２０】
図２は、このような図１の情報処理装置１の機能的構成のうち、走行履歴表示処理を実行するための機能的構成を示す機能ブロック図である。
走行履歴表示処理とは、走行履歴情報を取得し、走行マップを作成・表示するまでの処理をいう。
【００２１】
走行履歴表示処理は、図２に示すように、ＣＰＵ１１において、走行履歴情報取得部５１と、走行経路特定部５２と、運動強度算出部５３と、運動強度指標選択部５４と、走行マップ作成部５５と、出力制御部５６と、が機能する。
【００２２】
また、記憶部２０の一領域には、走行履歴情報記憶部７１と、運動強度指標情報記憶部７２と、走行マップ記憶部７３と、が設定される。
【００２３】
走行履歴情報記憶部７１は、ＧＰＳ部１６から取得した位置履歴情報と、センサ部１７から取得した生体履歴情報とを含む走行履歴情報を記憶する。
【００２４】
運動強度指標情報記憶部７２は、運動強度と指標とを対応付けた運動強度指標テーブルが記憶される。
【００２５】
図３は、運動強度指標情報記憶部７２に記憶される運動強度指標テーブルの例を示す図である。
運動強度指標テーブルは、図３に示すように、レベル分けされた「運動強度」と、レベル毎の「強度内容」と、ランナーを模式的に表示した「アバター」と走行経路の走行経路表示形態を「表示形態」とに分けられる運動強度を表した「指標」とが対応付けられている。なお、「アバター」は、ランニングフォーム等でレベルを変えて表示したがこれに限られず、例えば、顔の表情を加えて、ユーザに運動強度が直感的に分かる図柄で構成してもよい。
「運動強度」は、「レベル１」の「絶好調」と、「レベル２」の「好調」と、「レベル３」の「普通」と、「レベル４」の「少し疲れている」と、「レベル５」の「かなり疲れている」と、に分けられる。それぞれのレベル毎に、「強度内容」に対応付けられた「アバター」と、「表示形態」の「指標」がある。
【００２６】
走行マップ記憶部７３は、作成した走行マップが記憶される。走行マップは、地図上に走行経路と、所定のポイントに指標とを重ねて表示したマップである。
【００２７】
図４及び図５は、走行マップ記憶部７３に記憶される走行マップの例を示す図である。
図４の例では、走行マップは、地図上に走行経路を表示して、スタート地点［Ｓ］、ゴール地点［Ｇ］、最高運動強度の地点（黒塗り丸印）、最低運動強度の地点（白抜き丸印）等の各地点に対応して［アバター］の指標を表示している。なお、図４では、走行経路付近の建造物等を模式的に表示するように構成される。また、走行経路上に［表示形態］の指標を表示させてもよい。
【００２８】
また、図５の例では、走行マップは、標高と走行距離とで走行経路の変遷を示したグラフ上に、スタート地点［ＳＴＡＲＴ］、ゴール地点［ＧＯＡＬ］、最高速度の地点、最低速度の地点の各地点又は区間に対応して［アバター］，［表示形態］の指標を表示するように構成される。なお、指標の表示はこれに限らず、所定の距離間隔で表示させてもよいし、所定の走行時間間隔で表示させてもよい。
【００２９】
図２に戻り、走行履歴情報取得部５１は、走行履歴情報を取得する。詳細には、走行履歴情報取得部５１は、ＧＰＳ部１６から位置履歴情報を取得し、センサ部１７から生体履歴情報を取得する。
また、走行履歴情報取得部５１は、取得した走行履歴情報を走行履歴情報記憶部７１に記憶させる。
【００３０】
走行経路特定部５２は、走行履歴情報記憶部７１に記憶される位置履歴情報から、ランニングの走行経路となる走行経路を特定する。詳細には、走行経路特定部５２は、位置履歴情報から、取得した各位置履歴をスタート地点と終了位置を連続的につなげて、走行経路を特定する。
【００３１】
運動強度算出部５３は、走行履歴情報記憶部７１に記憶される生体履歴情報から、運動強度を算出する。
運動強度算出部５３は、具体的には、例えば、心拍数を運動強度とする場合には、生体情報の計測値や最高心拍数に対しての心拍数の比率（以下、「最高心拍数比率」という。）を運動強度とする。
最高心拍数比率は、以下の式（１）で求めることができる。
最高心拍数比率（％ＨＲｍａｘ）＝（走行時の心拍数−安静時の心拍数）／（最高心拍数−安静心拍数）×１００・・・（１）
なお、本実施形態においては、生体情報の計測値や最高心拍数比率を所定の区間でわけて５段階のレベルで扱う。レベルは、［レベル１］が最も良く［絶好調］、［レベル２］が［好調］、［レベル３］が［普通］、［レベル４］が［少し疲れている］、［レベル５］が最も悪く［かなり疲れている］を表す。
【００３２】
運動強度指標選択部５４は、運動強度算出部５３により算出された運動強度に基づいて、運動強度指標情報記憶部７２に記憶される運動強度指標テーブルから対応する運動強度指標を選択する。
運動強度指標選択部５４は、例えば、スタート地点と、ゴール地点と、最高運動強度の位置と、最低運動強度の位置、最速の地点と、最遅の地点等で運動強度指標を選択する。
【００３３】
走行マップ作成部５５は、走行経路特定部５２により特定された走行経路及び運動強度指標選択部５４により選択した運動強度指標に基づいて、走行マップを作成する。
走行マップ作成部５５は、具体的には、例えば、図４に示すように、走行経路が位置する地図上に、走行経路を模式的に表示し、さらに重畳的に、運動強度指標［アバター］を対応する地点に表示する。
走行マップ作成部５５は、作成した走行マップを走行マップ記憶部７３に記憶させる。
【００３４】
出力制御部５６は、走行マップ記憶部７３に記憶させた走行マップを表示出力するように出力部１９を制御する。
【００３５】
図６は、図２の機能的構成を有する図１の情報処理装置１が実行する走行履歴表示処理の流れを説明するフローチャートである。
走行履歴表示処理は、ユーザによる入力部１８への走行履歴表示処理の操作により開始される。
【００３６】
ステップＳ１１において、走行履歴情報取得部５１は、走行履歴情報を取得する。詳細には、走行履歴情報取得部５１は、ＧＰＳ部１６から位置履歴情報を取得し、センサ部１７から生体履歴情報を取得する。その後、走行履歴情報取得部５１は、取得した走行履歴情報を走行履歴情報記憶部７１に記憶させる。
【００３７】
ステップＳ１２において、走行経路特定部５２は、走行履歴情報のうち、位置履歴情報に基づいて、走行経路を特定する。詳細には、走行経路特定部５２は、位置履歴情報から取得した各位置履歴をスタート地点となる開始位置とゴール地点となる終了位置を連続的につなげて、走行経路を特定する。
【００３８】
ステップＳ１３において、運動強度算出部５３は、走行履歴情報のうち、生体履歴情報に基づいて、運動強度を算出する。
本例では、心拍数を運動強度とするため、運動強度算出部５３は、最高心拍数比率を運動強度として、上述した式（１）から各生体履歴の運動強度を算出する。
【００３９】
ステップＳ１４において、運動強度指標選択部５４は、各運動強度に対応した運動強度指標を選択する。詳細には、運動強度指標選択部５４は、運動強度算出部５３により算出された運動強度に基づいて、図３の運動強度指標情報記憶部７２に記憶される運動強度指標テーブルの［運動強度指標］を選択する。
また、運動強度指標選択部５４は、スタート地点と、ゴール地点と、最高運動強度の地点と、最低運動強度の地点、最速の地点と、最遅の地点等で運動強度指標を選択する。
【００４０】
ステップＳ１５において、走行マップ作成部５５は、走行マップを作成する。詳細には、走行マップ作成部５５は、走行経路特定部５２により特定された走行経路及び運動強度指標選択部５４により選択した運動強度指標に基づいて、図４や図５の走行マップを作成する。
その後、走行マップ作成部５５は、作成した走行マップを走行マップ記憶部７３に記憶させる。
【００４１】
ステップＳ１６において、出力制御部５６は、走行マップ記憶部７３に記憶させた走行マップを表示出力するように出力部１９を制御する。その結果、図４や図５に示すような走行マップが表示出力される。その後、走行履歴表示処理は、終了する。
【００４２】
以上のように構成される情報処理装置１は、走行履歴情報取得部５１と、走行経路特定部５２と、運動強度算出部５３と、運動強度指標選択部５４と、走行マップ作成部５５と、を備える。
走行履歴情報取得部５１は、運動対象の生体情報を取得する。
走行経路特定部５２は、運動対象の移動経路となる走行経路を特定する。
運動強度算出部５３は、走行履歴情報取得部５１により取得された生体情報から運動状態を程度で示した運動強度を算出する。
運動強度指標選択部５４は、運動強度指標情報記憶部７２に運動強度指標テーブルに基づいて、運動強度算出部５３により算出した運動強度の程度毎に運動強度指標を選択する。
走行マップ作成部５５は、走行経路特定部５２により特定された走行経路と、運動強度指標選択部５４により選択された指標とを対応付けた走行マップを作成する。
これにより、情報処理装置１においては、走行経路に対応して運動強度に応じた運動強度指標が表示されるために、走行経路上のユーザの状態を直感的に把握することができる。
【００４３】
運動強度指標選択部５４は、運動強度指標情報記憶部７２に運動強度指標テーブルに基づいて、運動対象を模したアバターを運動強度指標として選択する。
走行マップ作成部５５は、アバターを当該アバターに対応する運動強度で移動した地点又は区間を示す位置に配置したマップを作成する。
これにより、情報処理装置１においては、アバターを運動強度指標とし、移動した地点又は区間を示す位置に配置したマップを作成するために、走行経路上のユーザの状態を直感的に把握することができる。
【００４４】
また、運動強度指標選択部５４は、運動強度指標情報記憶部７２に運動強度指標テーブルに基づいて、運動強度の程度毎に色分けした運動強度指標を選択する。
走行マップ作成部５５は、マップ上に走行経路特定部５２によって特定された移動経路を色分けに基づいて作成する。
これにより、情報処理装置１においては、移動経路に運動強度指標の色分け表示をして、マップを作成するために、走行経路上のユーザの状態を直感的に把握することができる。
【００４５】
また、走行履歴情報取得部５１は、運動対象の心拍数を生体情報として取得する。
運動強度算出部５３は、心拍数に基づいて、運動強度を算出する。
これにより、情報処理装置１においては、走行の状態と関係性の高い心拍数に基づいて運動強度を算出するために、走行時の的確なユーザの状態を把握することができる。
【００４６】
なお、本発明は、上述の実施形態に限定されるものではなく、本発明の目的を達成できる範囲での変形、改良等は本発明に含まれるものである。
【００４７】
上述の実施形態では、指標を所定の地点のみに間欠的に表示したがこれに限られず、連続的に表示させるように構成してもよい。色を付して運動強度指標とする場合に効果的である。
【００４８】
また、上述の実施形態では、アバターの運動強度指標は、単に画像で表示するように構成したがこれに限られず、例えば、アバター動的に動くように動画アニメとして表示するように構成してもよい。
【００４９】
また、上述の実施形態では、ランナーの全身を模式的に表示したアバターにより運動強度指標を構成したが、例えば、ユーザの似顔絵等の運動状態が出やすい部位を運動強度指標として用いるように構成してもよい。
【００５０】
また、上述の実施形態では、走行経路を色分けして運動強度指標として表示するように構成したが、例えば、走行経路の太さ、幅、質感等を変形修飾して表示するように構成してもよい。
【００５１】
また、上述の実施形態では、予め運動強度指標を作成して記憶しておき、当該記憶された運動強度指標の中から選択するように構成したがこれに限られず、運動強度に応じて、作成するように構成してもよい。
【００５２】
また、上述の実施形態では、本発明が適用される情報処理装置１は、リスト端末を例として説明したが、特にこれに限定されない。
例えば、本発明は、走行履歴表示処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００５３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が情報処理装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００５４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５５】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ  Ｄｉｓｃ（ブルーレイディスク）（登録商標）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２０に含まれるハードディスク等で構成される。
【００５６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００５７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００５８】
以下に、本願の出願当初の特許請求の範囲に記載された発明を付記する。
［付記１］
運動対象の生体情報を取得する取得手段と、
前記運動対象の移動経路を特定する特定手段と、
前記取得手段により取得された前記生体情報から運動状態を程度で示した運動強度を算出する算出手段と、
前記算出手段により算出した前記運動強度の程度毎に指標を作成する第１の作成手段と、
前記特定手段により特定された前記移動経路と、前記第１の作成手段により作成された前記指標とを対応付けたマップを作成する第２の作成手段と、
を備えることを特徴とする情報処理装置。
［付記２］
前記第１の作成手段は、前記運動対象を模したアバターを前記指標として作成し、
前記第２の作成手段は、前記アバターを当該アバターに対応する運動強度で移動した地点又は区間を示す位置に配置したマップを作成する
ことを特徴とする付記１に記載の情報処理装置。
［付記３］
前記第１の作成手段は、前記運動強度の程度毎に色分けした指標を作成する、
前記第２の作成手段は、前記マップ上に前記特定手段によって特定された移動経路を前記色分けに基づいて作成する
ことを特徴とする付記１又は２に記載の情報処理装置。
［付記４］
前記取得手段は、前記運動対象の心拍数を前記生体情報として取得し、
前記算出手段は、前記心拍数に基づいて、運動強度を算出する、
ことを特徴とする付記１乃至３のいずれか１つに記載の情報処理装置。
［付記５］
運動対象の生体情報を取得する取得ステップと、
前記運動対象の移動経路を特定する特定ステップと、
前記取得ステップにより取得された前記生体情報から運動状態を程度で示した運動強度を算出する算出ステップと、
前記算出ステップにより算出した前記運動強度の程度毎に指標を作成する第１の作成ステップと、
前記特定ステップにより特定された前記移動経路と、前記第１の作成ステップにより作成された前記指標とを対応付けたマップを作成する第２の作成ステップと、
を含むことを特徴とする情報処理方法。
［付記６］
コンピュータを、
運動対象の生体情報を取得する取得手段、
前記運動対象の移動経路を特定する特定手段、
前記取得手段により取得された前記生体情報から運動状態を程度で示した運動強度を算出する算出手段、
前記算出手段により算出した前記運動強度の程度毎に指標を作成する第１の作成手段、
前記特定手段により特定された前記移動経路と、前記第１の作成手段により作成された前記指標とを対応付けたマップを作成する第２の作成手段、
として機能させることを特徴とするプログラム。
【符号の説明】
【００５９】
１・・・情報処理装置，２・・・リスト端末，１１・・・ＣＰＵ，１２・・・ＲＯＭ，１３・・・ＲＡＭ，１４・・・バス，１５・・・入出力インターフェース，１６・・・撮像部，１７・・・センサ部，１８・・・入力部，１９・・・出力部，２０・・・記憶部，２１・・・通信部，２２・・・ドライブ，３１・・・リムーバブルメディア，５１・・・走行履歴情報取得部，５２・・・走行経路特定部，５３・・・運動強度算出部５３・・・運動強度指標算出部，５５・・・走行マップ作成部，５６・・・出力制御部，７１・・・走行履歴情報記憶部，７２・・・運動強度指標情報記憶部，７３・・・走行マップ記憶部
【図１】
2015078919.tif 000003
【図２】
2015078919.tif 000004
【図３】
2015078919.tif 000005
【図４】
2015078919.tif 000006
【図５】
2015078919.tif 000007
【図６】
2015078919.tif 000008